(57)【特許請求の範囲】
【請求項１】
複数のしゃ断桿部が、軸方向に隣接する端部を嵌合して１本ものに連結された踏切用しゃ断桿において、前記各しゃ断桿部の外径は、ほぼ均一に形成され、かつ隣接して連結される該桿部の一方の端部に他方の端部の内周面に嵌合する連結用内筒が一体に設けられているとともに、該内筒に付勢部材によって内筒の外周面から径方向外方に突出する突部が設けられ、他方の端部に連結時に前記突部が嵌入する貫通孔が設けられ、この貫通孔から前記突部が突き出さないようになっていることを特徴とする踏切用しゃ断桿。
【請求項２】
各しゃ断桿部の外周面に、反射材としての赤色のシール部又は塗装部と白色のシール部又は塗装部が軸方向に交互となって縞模様に設けられている請求項１記載の踏切用しゃ断桿。
【発明の詳細な説明】
【０００１】
【発明の属する技術分野】
この発明は、踏切しゃ断機に使用される踏切用しゃ断桿に関するものである。
【０００２】
【従来の技術】
従来使用されている踏切用しゃ断桿５１は、図３に示すように複数のしゃ断桿部５２，５３，５４，５５が軸方向に隣接する端部を嵌合して１本ものに連結された構成となっている。この図では踏切しゃ断機に近い側の１個の根元用しゃ断桿部５２と、これに順次連結される複数個の延長用しゃ断桿部５３〜５５とからなっており、かつ根元部から延長先端部に向けて徐々に径が細くなっている。根元部の外径ｄは概ね４０〜６０ｍｍであり、各しゃ断桿部の外周面には黄色塗装部５７と黒色塗装部５８が軸方向に交互となって縞模様に設けられている。また、各しゃ断桿部は所定長からなり、隣接して連結される該桿部５４，５５の一方の端部と他方の端部は図４に示すように嵌合による摩擦力により固定されている。
【０００３】
【発明が解決しようとする課題】
ところで、従来の踏切用しゃ断桿５１は、前記のような先細の構造からなるため、しゃ断桿自身の強度が比較的小さく、踏切内に無謀進入してくる自動車により折損されることが多い。また、根元部を含み全体として小径のため、視認性が比較的低く、特に夜間においてはそれが顕著となり、折損事故が絶えない。しかも、折損時に自動車側が受けるダメージも比較的小さく、しゃ断桿折損に対する抑止効果が発揮されずらい。さらに、連結には摩擦力だけでは不十分で、脱落防止を強固にするため固定後にテープ等でさらに固定する必要があるという各種の問題点があった。
【０００４】
そこでこの発明は、前記のような従来の問題点を解決することができ、視認性が向上でき、かつ簡単・確実に各しゃ断桿部を連結することができる踏切用しゃ断桿を提供することを目的とする。
【０００５】
【課題を解決するための手段】
前記の目的を達成するため、請求項１の発明は、複数のしゃ断桿部が、軸方向に隣接する端部を嵌合して１本ものに連結された踏切用しゃ断桿において、前記各しゃ断桿部の外径は、ほぼ均一に形成され、かつ隣接して連結される該桿部の一方の端部に他方の端部の内周面に嵌合する連結用内筒が一体に設けられているとともに、該内筒に付勢部材によって内筒の外周面から径方向外方に突出する突部が設けられ、他方の端部に連結時に前記突部が嵌入する貫通孔が設けられ、この貫通孔から前記突部が突き出さないようになっていることを特徴とする。前記において、内筒は一方の端部と一体になっていてもよいし、別体としたものを接着剤等で固着して一体にしたものでもよい。付勢部材としては一端が内筒内に固定され、他端に突部を有して、貫通孔と位相を一致させて内筒に設けた孔から該突部が突出するように付勢する板ばねが好ましい。
【０００６】
請求項２の発明は、請求項１において、各しゃ断桿部の外周面に、反射材としての赤色のシール部又は塗装部と白色のシール部又は塗装部が軸方向に交互となって縞模様に設けられていることを特徴とする。
【０００７】
【発明の実施の形態】
この発明の実施の形態を図面を参照して説明する。図１は踏切用しゃ断桿の先端部側の一部を省略した図、図２は図１のＡ部拡大の一部破断の図である。図１において１は踏切用しゃ断桿で、それぞれ所定長からなる複数のしゃ断桿部２，３，４…、すなわち踏切しゃ断機に近い側の１個の根元用しゃ断桿部２と、これに順次連結される複数個の延長用しゃ断桿部３，４…とが、軸方向に隣接する端部を嵌合して１本ものに連結されている。各しゃ断桿部の外径Ｄは例えば１３５ｍｍの均一に形成され、従来のものの前記外径ｄより大径となっている。大径となっているぶんしゃ断桿部の肉厚ｔも従来のものより厚くなっている。
【０００８】
根元用しゃ断桿部２と隣接して、これに連結される延長用しゃ断桿部３の端部には根元用しゃ断桿部２の端部内周面に嵌合する連結用内筒７が所定長さにわたり一体に設けられている。このような内筒７は延長用しゃ断桿部３に連結される延長用しゃ断桿部４の端部にも、また延長用しゃ断桿部４に連結される図示しない延長用しゃ断桿部の端部にも勿論設けられている。以下には延長用しゃ断桿部３の端部に設けられた内筒７の構成等について説明するが、ほかに設けられた内筒の構成等も同様である。
【０００９】
内筒７内には板ばね８の一端がねじ１０で固定され、該板ばねの他端には径方向外方に突出する突部１１が設けられている。内筒７のねじ１０と反対側には突部１１が嵌入してさらに外側に突出するための貫通した孔１３が設けられている。また、根元用しゃ断桿部２の端部には連結時に突部１１が嵌入する貫通孔１５が孔１３と位相を一致させて設けられている。すなわち、貫通孔１５と孔１３とは根元用しゃ断桿部２の端部が延長用しゃ断桿部３の内筒７の基端となる段部１７に当接したとき、その円周方向の任意の位置で位相が一致するような関係となっている。突部１１が貫通孔１５に嵌入することにより根元用しゃ断桿部２と延長用しゃ断桿部３は相互に抜け止め、かつ回転が防止される。突部１１を径方向外方に突出するように付勢できるものであれば、必ずしも板ばね８である必要はなく、例えばコイルばねのようなものでもよい。板ばね８の一端の固定もねじ１０である必要はなく、例えば接着等でもよい。各しゃ断桿部の外周面には反射材としての赤色シール部１８と白色シール部１９が軸方向に交互となって縞模様に設けられている。
【００１０】
前記のように各しゃ断桿部２，３，４…の外径Ｄを均一に、従来のものの外径ｄより大径にしたので、踏切に接近する自動車に対し従来にも増して威圧感をもたせることができる。また、肉厚ｔも従来のものより大きく、全体としても強度が高くなるため、踏切内に自動車が無謀進入してきても折損しにくく、しかも自動車のダメージが比較的大きいため、その抑止効果を高めることができる。さらに、反射材としての赤色シール部１８と白色シール部１９が設けられているため、夜間においても自動車のヘッドライトからの反射光によりしゃ断桿の存在がはっきりと認識できる。
【００１１】
踏切しゃ断機への取付に際しては、まず根元用しゃ断桿部２を取り付け、その後この根元用しゃ断桿部に対して延長用しゃ断桿部３を、内筒７が根元用しゃ断桿部２の端部内周面に嵌合するように挿入してやり、根元用しゃ断桿部２の端部が延長用しゃ断桿部３の内筒７の基端となる段部１７に当接し、必要により延長用しゃ断桿部３を回転すると、内筒７の孔１３から突出する突部１１が貫通孔１５に嵌入し、これで連結が終了する。この際に従来のように摩擦による嵌入でないから挿し込みがきわめて容易である。このようにして１個の延長用しゃ断桿部３の連結が終了したら順次２個、３個と、連結していき、所要の長さの踏切しゃ断桿１を得る。踏切しゃ断桿１は前記のような連結方式により連結されているので、その抜け止めや回転止めが確実であり、不用意に抜けたりすることがない。
【００１２】
また、仮に先端側の延長用しゃ断桿部のみが折損して取替えなければならない事態が生じたときは、該当の延長用しゃ断桿部を突部１１を貫通孔１５から中に指等で押し込み、貫通孔１５と突部１１との係合を解いて、該延長用しゃ断桿部を引き抜き、新しい延長用しゃ断桿部を前記と同様に挿入して取り付けることができる。
【００１３】
前記においては根元用しゃ断桿部２や延長用しゃ断桿部３，４…を用いたが、これは説明の便宜上そうしただけであり、特に深い意味があるわけではない。また、反射材として赤色シール部１８と白色シール部１９を示したが、これに代えて赤色塗装部と白色塗装部としてもよい。また、図示した形態も好ましい一例を示したにすぎず、必ずしもこれに限定されるものではないことは言うまでもない。
【００１４】
【発明の効果】
請求項１，２の発明は前記のような構成からなるので、従来の踏切しゃ段桿に比べて視認性が向上でき、かつ簡単・確実に各しゃ断桿部を連結することができる。請求項２の発明は反射材として設けた赤色シール部又は塗装部と白色シール部又は塗装部を有するため、夜間においても自動車のヘッドライトからの反射光によりしゃ断桿の存在がはっきりと認識できるという優れた効果がある。
【図面の簡単な説明】
【図１】この発明の実施の形態を示す、踏切用しゃ断桿の先端部側の一部を省略した図である。
【図２】図１のＡ部拡大の一部破断の図である。
【図３】従来の踏切用しゃ断桿を示す図である。
【図４】図１のＢ部拡大の一部破断の図である。
【符号の説明】
１  踏切用しゃ断桿
２  根元用しゃ断桿部
３，４  延長用しゃ断桿部
７  連結用内筒
８  板ばね
１０  ねじ
１１  突部
１３  孔
１５  貫通孔
１８  赤色シール部
１９  白色シール部
【図１】
0003621642.tif 000002
【図２】
0003621642.tif 000003
【図３】
0003621642.tif 000004
【図４】
0003621642.tif 000005